(57)【要約】【課題】  制御モード切換え装置に関してその具体的構造を提供する。【解決手段】  ２つのスイッチ素子７１，７２を有するスイッチユニット５０と、スライド型押ボタンユニット１０とを備える。スイッチユニット５０にスペース７３を追加する。スライド型押ボタンユニット１０は、スライド部材２０と、両端部をスライド部材２０に取り付けた撓み変形可能なばね部材３０と、ばね部材３０の長手方向中央部に樹脂で一体成形されてスライド部材２０の開口２１に出退可能に配備された押ボタン４０と、押ボタンに一体成形された押圧部４１とを有する。スライド部材２０のスライドによって押圧部４１が２つのスイッチ素子７１，７２のいずれかに対応する２位置のそれぞれとスペース７３に対応する位置とに選択的に対峙されるように構成されている。【選択図】        図４
2008198501.tif 000002
【特許請求の範囲】
【請求項１】
第１及び第２の２つのスイッチ素子が並び配列されたスイッチユニットと、このスイッチユニットを操作するためのスライド型押ボタンユニットとを備え、
上記スイッチユニットに、第１及び第２の２つの上記スイッチ素子に対し横並びに配置されたスペースが追加されていて、
上記スライド型押ボタンユニットが、携帯機器筐体にスライド可能に取り付けられた横長板状のスライド部材と、ばね性を備える横長部材で構成されてその長手方向の両端部が上記スライド部材に取り付けられて撓み変形可能とされたばね部材と、このばね部材の長手方向中央部に樹脂で一体成形されて上記スライド部材に具備された開口に出退可能に配備されかつそのばね部材によって突出方向に常時弾発付勢されている押ボタンと、この押ボタンに一体成形された押圧部とを有して、上記スライド部材のスライドによって上記押圧部が第１及び第２の上記スイッチ素子に対応する２位置のそれぞれと上記スペースに対応する位置とに選択的に対峙されるように構成され、
上記押圧部が第１及び第２の上記スイッチ素子に対応する２位置のうちのいずれかに選択的に対峙しているときに上記押ボタンを上記ばね部材の弾発付勢に抗して押し込むことによって、選択されている上記スイッチ素子が動作し、かつ、上記スライド部材が上記スペースに対峙しているときに上記押ボタンを上記ばね部材の弾発付勢に抗して押し込むことによって、その押圧部が上記スペースに突入されるように構成されていると共に、上記スライド部材に対する上記ばね部材の両端部の取付箇所の相互間隔を調整することによって、上記押ボタンに作用する弾発付勢力の大きさを調節してあることを特徴とする携帯機器の制御モード切換え装置。
【請求項２】
第１及び第２の２つのスイッチ素子が並び配列されたスイッチユニットと、このスイッチユニットを操作するためのスライド型押ボタンユニットとを備え、
スライド型押ボタンユニットが、携帯機器筐体にスライド可能に取り付けられたスライド部材と、このスライド部材に装備された弾性を有するばね部材と、上記スライド部材に具備された開口に出退可能に配備されて上記ばね部材によって突出方向に常時弾発付勢されている押ボタンと、この押ボタンに設けられた押圧部とを有して、上記スライド部材のスライドによって上記押圧部が第１及び第２の上記スイッチ素子に対応する２位置のうちのいずれかに選択的に対峙されるように構成されていると共に、上記ばね部材による付勢に抗して上記押ボタンを押し込むことによって、選択されている上記スイッチ素子が動作するように構成されている携帯機器の制御モード切換え装置。
【請求項３】
上記スイッチユニットに、第１及び第２の２つの上記スイッチ素子に対し横並びに配置されたスペースが追加されていて、
上記スライド型押ボタンユニットのスライド部材が、その押圧部を第１及び第２の上記スイッチ素子に対応する２位置に加えて上記スペースに対応する位置にも選択的に対峙させることのできる範囲でスライド可能とされ、上記押圧部が上記スペースに対峙しているときに上記ばね部材による付勢に抗して上記押ボタンを押し込むことによって、その押圧部が上記スペースに突入されるように構成されている請求項１に記載した携帯機器の制御モード切換え装置。
【請求項４】
上記ばね部材がばね性を備える横長部材でなり、そのばね部材はその長手方向両端部が横長板状の上記スライド部材に取り付けられて撓み変形可能とされていると共に、そのばね部材の長手方向中央部に上記押圧部を備える上記押ボタンが樹脂で一体成形されている請求項２又は請求項３に記載した携帯機器の制御モード切換え装置。
【請求項５】
上記スライド部材に対する上記ばね部材の両端部の取付箇所の相互間隔を調整することによって、上記押ボタンに作用する弾発付勢力の大きさを調節してある請求項４に記載した携帯機器の制御モード切換え装置。
【発明の詳細な説明】
【技術分野】
【０００１】
本発明は、携帯機器の制御モード切換え装置、特に、スイッチ素子を有するスイッチユニットと、このスイッチユニットを操作するためのスライド型押ボタンユニットとを備える制御モード切換え装置に関する。
【背景技術】
【０００２】
従来、回転操作型のモード選択ダイヤルにプッシュボタンを設けておき、モード選択ダイヤルを回転させて所望のモードを選択した後、モード選択ダイヤルと共に回転したプッシュボタンを押し込むことによって選択したモードを実行するという操作手順を行う制御モード切換え方式が知られている（たとえば、特許文献１参照）。また、グリップ部に操作ボタンを設けておき、グリップ部を手の指ず横にスライドさせて一定のモードを選択した後、グリップ部と共にスライドした操作ボタンを押し込むことによって選択したモードを実行するという操作手順を行う制御モード切換え方式も知られている（たとえば、特許文献２参照）。
【０００３】
また、操作ボタンを鍵形のスライド溝に沿ってスライドさせることによって動作モードが切り換わるようになっている操作部材装置（たとえば、特許文献３参照）や、左手で操作される左側のボタンイッチと右手で操作される右側のボタンスイチとのいずれか一方だけをスライドスイッチの切換え操作によって有効にする機能を備えた装置も知られている（たとえば、特許文献４参照）。
【特許文献１】特開２００４−１２０２６５号公報
【特許文献２】特開２００３−２９５２８５号公報
【特許文献３】特開２００２−１９６４０７号公報
【特許文献４】特開２００４−５３７００号公報
【発明の開示】
【発明が解決しようとする課題】
【０００４】
しかしながら、上掲の特許文献１及び特許文献２には、制御モード切換え方式についての記載がなされているだけであって、具体的な制御モード切換え装置の構造についての開示はない。
【０００５】
そこで、本発明は、様々な携帯機器に対して適用が可能な制御モード切換え装置に関してその具体的構造を提供することを目的とする。
【０００６】
また、本発明は、可及的少ない数の部品によって安価に構成することのできる携帯機器の制御モード切換え装置を提供することを目的とする。
【課題を解決するための手段】
【０００７】
本発明に係る携帯機器の制御モード切換え装置は、第１及び第２の２つのスイッチ素子が並び配列されたスイッチユニットと、このスイッチユニットを操作するためのスライド型押ボタンユニットとを備えている。そして、スライド型押ボタンユニットが、携帯機器筐体にスライド可能に取り付けられたスライド部材と、このスライド部材に装備された弾性を有するばね部材と、上記スライド部材に具備された開口に出退可能に配備されて上記ばね部材によって突出方向に常時弾発付勢されている押ボタンと、この押ボタンに設けられた押圧部とを有して、上記スライド部材のスライドによって上記押圧部が第１及び第２の上記スイッチ素子に対応する２位置のうちのいずれかに選択的に対峙されるように構成されていると共に、上記ばね部材による付勢に抗して上記押ボタンを押し込むことによって、選択されている上記スイッチ素子が動作するように構成されている。
【０００８】
この発明の制御モード切換え装置によれば、スライド部材のスライドさせることにより、スライド型押ボタンユニットの押圧部を第１及び第２の上記スイッチ素子に対応する２位置のうちのいずれかに選択的に対峙させることができ、このようなスライド操作によって制御モードを選択することができる。そして、ばね部材による付勢に抗して押ボタンを押し込むことによって、選択されているスイッチ素子を動作させると選択したモードが実行される。
【０００９】
本発明では、上記スイッチユニットに、第１及び第２の２つの上記スイッチ素子に対し横並びに配置されたスペースを追加することも可能であり、その場合には、上記スライド型押ボタンユニットのスライド部材が、その押圧部を第１及び第２の上記スイッチ素子に対応する２位置に加えて上記スペースに対応する位置にも選択的に対峙させることのできる範囲でスライド可能とされ、上記押圧部が上記スペースに対峙しているときに上記ばね部材による付勢に抗して上記押ボタンを押し込むことによって、その押圧部が上記スペースに突入されるように構成されていることが望ましい。この発明によれば、スペースをホールドモード、すなわち押ボタンを押し込んでもスイッチが動作することのないモードを実行することに利用することが可能である。
【００１０】
本発明では、上記ばね部材がばね性を備える横長部材でなり、そのばね部材はその長手方向両端部が横長板状の上記スライド部材に取り付けられて撓み変形可能とされていると共に、そのばね部材の長手方向中央部に上記押圧部を備える上記押ボタンが樹脂で一体成形されているという構成を採用することが可能である。この構成を採用することによって押ボタンとばね部材とが一体成形された単一の樹脂部品となるので、押ボタンとばね部材とを別々に製作する場合に比べて必要部品点数が少なくなる。
【００１１】
本発明では、上記スライド部材に対する上記ばね部材の両端部の取付箇所の相互間隔を調整することによって、上記押ボタンに作用する弾発付勢力の大きさを調節してある、という構成を採用することが可能である。この構成であると、上記取付箇所の相互間隔を調整するだけで押ボタンに対する弾発付勢力を適度に容易に調節することが可能になる。
【００１２】
本発明に係る携帯機器の制御モード切換え装置は、第１及び第２の２つのスイッチ素子が並び配列されたスイッチユニットと、このスイッチユニットを操作するためのスライド型押ボタンユニットとを備え、上記スイッチユニットに、第１及び第２の２つの上記スイッチ素子に対し横並びに配置されたスペースが追加されていて、上記スライド型押ボタンユニットが、携帯機器筐体にスライド可能に取り付けられた横長板状のスライド部材と、ばね性を備える横長部材で構成されてその長手方向の両端部が上記スライド部材に取り付けられて撓み変形可能とされたばね部材と、このばね部材の長手方向中央部に樹脂で一体成形されて上記スライド部材に具備された開口に出退可能に配備されかつそのばね部材によって突出方向に常時弾発付勢されている押ボタンと、この押ボタンに一体成形された押圧部とを有して、上記スライド部材のスライドによって上記押圧部が第１及び第２の上記スイッチ素子に対応する２位置のそれぞれと上記スペースに対応する位置とに選択的に対峙されるように構成され、上記押圧部が第１及び第２の上記スイッチ素子に対応する２位置のうちのいずれかに選択的に対峙しているときに上記押ボタンを上記ばね部材の弾発付勢に抗して押し込むことによって、選択されている上記スイッチ素子が動作し、かつ、上記スライド部材が上記スペースに対峙しているときに上記押ボタンを上記ばね部材の弾発付勢に抗して押し込むことによって、その押圧部が上記スペースに突入されるように構成されていると共に、上記スライド部材に対する上記ばね部材の両端部の取付箇所の相互間隔を調整することによって、上記押ボタンに作用する弾発付勢力の大きさを調節してある、という構成を採用することによっていっそう具体化される。
【発明の効果】
【００１３】
以上のように、本発明に係る携帯機器の制御モード切換え装置は、ボイスレコーダや音楽プレーヤ、撮像装置といった制御モードの切換え機構を設けることが不可欠な様々な携帯機器の制御モード切換え装置として有益である。特に、スイッチユニットに、第１及び第２の２つの上記スイッチ素子に対し横並びに配置されたスペースを追加したものでは、押圧部をスペースに対峙させておくことによって、携帯機器をポケットやカバンに入れて持ち歩くときに不慮に電源がオンになって電力が無駄に消費されてしまうという事態が未然に防止されるという利点がある。また、第１及び第２の２つのスイッチ素子が異なるモードに使い分けられているので、１つの押ボタンによって２つの制御モードを選択的に実行することが可能になる。
【発明を実施するための最良の形態】
【００１４】
図１は本発明の実施形態に係る制御モード切換え装置Ａが組み付けられている携帯機器の一例である携帯型ボイスレコーダの概略外観斜視図である。この携帯機器には、上記制御モード切換え装置Ａが組み付けられているほか、選択モードや実行モードの表示窓１、スピーカ２、調整ボタン３などが装備されている。
【００１５】
図２は制御モード切換え装置Ａのスライド型押ボタンユニット１０の分解斜視図である。また、図３は携帯機器筐体１００に装備されている制御モード切換え装置Ａの縦断側面図、図４〜図６は携帯機器筐体１００に装備されている制御モード切換え装置Ａの縦断正面図、図７は図５の要部を拡大した制御モード切換え装置Ａの縦断正面図、図８は所定の制御モードが実行されたときの状態を示した制御モード切換え装置Ａの縦断正面図である。
【００１６】
制御モールド切換え装置Ａは、図２に示したスライド型押ボタンユニット１０と図３などに示されているスイッチユニット５０とを組み合わせて構成されている。
【００１７】
図２のように、スライド型押ボタンユニット１０は、横長の矩形板状片によって形成されたスライド部材２０と、枠形に形作られた横長部材によって構成されているばね部材３０と、このばね部材３０の長手方向中央部に樹脂で一体成形された押ボタン４０と、押ボタン４０に一体成形されてその押ボタン４０の下方に向けて突き出たロッド状の押圧部４１とを備えている。そして、スライド部材２０の長手方向中央部に開設されている開口２１に押ボタン４０が出退可能に配備されると共に、ばね部材３０がその長手方向の両端部でスライド部材２０の裏面側に取り付けられて撓み変形可能とされている。スライド部材２０に対するばね部材３０の両端部それぞれの取付箇所では、スライド部材２０から下向きに突出された樹脂製のボス２２が、ばね部材３０の両端部それぞれに具備された孔部３１に遊嵌合されていると共に、ボス２２の端部に形成された鍔形部２３とスライド部材２０とによってばね部材３０がそれら両者に対して摺動自在に挟持されている（図７及び図８参照）。
【００１８】
これに対し、図３や図４〜図６などに示したように、スイッチユニット５０は、携帯機器筐体１００に内蔵されている配線基板６０の間隔を隔てた２箇所に搭載されている第１及び第２の２つのスイッチ素子７１，７２と、これら２つのスイッチ素子７１，７２に対し横並びに配置されたスペース７３、具体的には２つのスイッチ素子７１，７２の相互間スペースとを有している。
【００１９】
図３のように、携帯機器筐体１００には、相対向する一対の凹溝部でなるガイド部１１０が備わっていて、これらのガイド部１１０に、上記したスライド型押ボタンユニット１０のスライド部材２０が横方向スライド自在に係合保持されていることに加え、押ボタン４０が携帯機器筐体１００に開設されている横長開口１２０を通してその上方に突き出ている。そして、上記スライド型押ボタンユニット１０が、ガイド部１１０によって規制されるスライド部材２０の横方向でのスライドによって押圧部４１が第１及び第２の上記スイッチ素子７１，７２に対応する２位置のそれぞれと上記スペース７３に対応する位置とに選択的に対峙されるように構成されている。なお、図示していないけれども、押圧部４１が第１及び第２の上記スイッチ素子７１，７２に対応する２位置のそれぞれと上記スペース７３に対応する位置とに対峙したときには、そのことを操作者（ユーザ）にクリック感で知らせる感触機構が付設されている。この感触機構は、たとえば、ガイド溝１１０とスライド部材２０とに振り分けて互いに乗り越え可能な凸部と凹部とを設けておくことによって容易に実現することが可能である。
【００２０】
以上のように構成された制御モード切換え装置Ａにおいて、図１又は図４のように、押ボタン４０を手の指で横に押して携帯機器筐体１００の横長開口１２０の長手方向中央部（中立位置）に位置させると、押圧部４１がスペース７３に対峙する。この状態では、押ボタン４０がばね部材３０の付勢にに抗して押し込まれても、押圧部４１がそのスペース７３に突入するだけで第１及び第２のスイッチ素子７１，７２は動作しない。この状態はホールド状態である。したがって、ユーザにとっては、このホールド状態で携帯機器を被服のポケットやカバンに入れて持ち歩くようにすると、押ボタン４０が不慮に押し込まれたとしても、電源がオンになって電力が無駄に消費されてしまうという事態を未然に回避することができる。
【００２１】
これに対し、図５又は図７のように、押ボタン４０を図１又は図４に示した中立位置から図５矢印Ｓ１のように手の指で横に押して携帯機器筐体１００の横長開口１２０の長手方向一端部に位置させると、押圧部４１が第１スイッチ素子７１に対峙する。この状態から押ボタン４０をばね部材３０の付勢に抗して図８矢印Ｐのように押し込むと、同図のようにばね部材３０が下方へ撓み変形して押圧部４１が第１スイッチ素子７１を動作させる。これによって第１スイッチ素子７１に対応している動作モードが実行されることになる。
【００２２】
また、図６のように、押ボタン４０を図１又は図４に示した中立位置から図５矢印Ｓ２のように手の指で横に押して携帯機器筐体１００の横長開口１２０の長手方向他端部に位置させると、押圧部４１が第２スイッチ素子７２に対峙する。この状態から押ボタン４０をばね部材３０の付勢に抗して押し込むと、ばね部材３０が下方へ撓み変形して押圧部４１が第２スイッチ素子７２を動作させる。これによって第２スイッチ素子７２に対応している動作モードが実行されることになる。
【００２３】
以上説明した実施形態では、第１スイッチ素子７１の繰り返し動作を介してたとえば電源オンモードと電源オフモードとを交互に実行させ、第２スイッチ素子７２の繰り返し動作によってたとえば録音開始モードと録音停止モードとを交互に実行させることが可能である。
【００２４】
図２のように、この実施形態では、ばね部材３０が枠形に形作られた横長部材によって構成されているけれども、このばね部材３０は、押ボタン４０をインサート成形した金属製の板ばねによって形成することも可能である。また、実施形態では、スライド部材２０に対するばね部材３０の両端部の取付箇所の相互間隔を長くすると、押ボタン４０に対する弾発付勢力が弱くなり、その反対に、取付箇所の相互間隔を短くすると、押ボタン４０に対する弾発付勢力が強くなる。したがって、このことを利用すると、上記相互間隔を増減調整するだけで、押ボタンに作用する弾発付勢力の大きさを適切に調節することが可能である。
【００２５】
また、この実施形態では、スイッチユニット５０が、第１及び第２の２つのスイッチ素子７１，７２と、それら相互間のスペース７３とを有している事例を説明したけれども、この点は、スイッチユニット５０が第１及び第２の２つのスイッチ素子７１，７２だけを有して、上記スペース７３を有しないものであってもよい。
【図面の簡単な説明】
【００２６】
【図１】本発明の実施形態に係る制御モード切換え装置が組み付けられている携帯機器の一例を示した概略外観斜視図である。
【図２】制御モード切換え装置のスライド型押ボタンユニットの分解斜視図である。
【図３】携帯機器筐体に装備されている制御モード切換え装置の縦断側面図である。
【図４】押圧部がスペースに対峙している状態での制御モード切換え装置の縦断正面図である。
【図５】押圧部が第１スイッチ素子に対峙している状態での制御モード切換え装置の縦断正面図である。
【図６】押圧部が第２スイッチ素子に対峙している状態での制御モード切換え装置の縦断正面図である。
【図７】図５の要部を拡大した制御モード切換え装置の縦断正面図である。
【図８】所定の制御モードが実行されたときの状態を示した制御モード切換え装置の縦断正面図である。
【符号の説明】
【００２７】
１０  スライド型押ボタンユニット
２０  スライド部材
２１  開口
３０  ばね部材
４０  押ボタン
４１  押圧部
５０  スイッチユニット
７１  第１スイッチ素子
７２  第２スイッチ素子
７３  スペース
１００  携帯機器筐体
【図１】
2008198501.tif 000003
【図２】
2008198501.tif 000004
【図３】
2008198501.tif 000005
【図４】
2008198501.tif 000006
【図５】
2008198501.tif 000007
【図６】
2008198501.tif 000008
【図７】
2008198501.tif 000009
【図８】
2008198501.tif 000010